(57)【要約】【課題】  複数のストロボを同調発光させて撮影を行う際に、各ストロボの発光色温度を揃えて、色再現の正確な撮影を実現する。【解決手段】  発光制御装置であるカメラ本体１００は、各スレーブストロボ装置４００から、発光量ごとのキセノン管発光のためのメインコンデンサの電圧と発光色温度との対応関係を表す発光色温度特性のデータを取得し、それらの発光色温度特性から、最大の発光量が設定されているスレーブストロボ装置の最大発光色温度を抽出し、この最大発光色温度に基づき、複数のスレーブストロボ装置に共通の目標発光色温度を決定する。複数のスレーブストロボ装置はそれぞれ、発光色温度特性に従い、メインコンデンサの電圧が発光制御装置から通知された発光量での目標発光色温度に対応する目標電圧になるように、メインコンデンサの充電電圧を制御する。【選択図】  図４
2011221363.tif 000002
【特許請求の範囲】
【請求項１】
発光制御装置と、前記発光制御装置と通信可能な、キセノン管を発光源として用いる複数のストロボ装置とを含むストロボ撮影システムであって、
前記発光制御装置は、
各ストロボ装置から、発光量ごとの前記キセノン管の発光のための電気エネルギを蓄積するメインコンデンサの電圧と発光色温度との対応関係を表す発光色温度特性のデータを取得する取得手段と、
取得した各ストロボ装置の前記発光色温度特性に基づいて、すべての前記複数のストロボ装置の、設定された発光量における発光色温度の制御可能範囲に共通して含まれる発光色温度の中から、前記複数のストロボ装置に共通の目標発光色温度を決定する決定手段と、
各ストロボ装置に対して、当該各ストロボ装置に発光させる発光量及び前記決定手段で決定された目標発光色温度を通知する通知手段と、
を有し、
前記複数のストロボ装置はそれぞれ、
自身の発光色温度特性のデータを記憶するメモリと、
前記発光制御装置からの要求に応答して前記メモリに記憶された発光色温度特性のデータを送信するデータ送信手段と、
前記メモリに記憶された発光色温度特性に従い、前記メインコンデンサの電圧が前記発光制御装置から通知された発光量での目標発光色温度に対応する目標電圧になるように、前記メインコンデンサの充電電圧を制御する制御手段と、
前記通知された発光量で前記キセノン管を発光させる発光手段と、
を有することを特徴とするストロボ撮影システム。
【請求項２】
前記決定手段は、前記複数のストロボ装置のうち最大の発光量が設定されているストロボ装置の最大発光色温度を抽出し、該抽出した最大発光色温度に基づいて前記目標発光色温度を決定することを特徴とする請求項１に記載のストロボ撮影システム。
【請求項３】
前記抽出した最大発光色温度が、設定された発光量における発光色温度の制御可能範囲内にないストロボ装置が少なくとも1つある場合、当該制御可能範囲内にないストロボ装置は、前記目標発光色温度を自身の制御可能範囲における最小発光色温度に補正することを特徴とする請求項２に記載のストロボ撮影システム。
【請求項４】
前記制御手段は、前記メインコンデンサの充電電圧が前記目標電圧を超えている場合は、前記発光手段による発光の前にダミー発光を行うことで前記メインコンデンサの電圧を低下させることを特徴とする請求項１乃至３のいずれか１項に記載のストロボ撮影システム。
【請求項５】
前記複数のストロボ装置はそれぞれ、前記メインコンデンサを放電させるための放電回路を更に有し、
前記制御手段は、前記メインコンデンサの充電電圧が前記目標電圧を超えている場合、前記発光手段による発光の前に前記放電回路を駆動して前記メインコンデンサの電圧を低下させることを特徴とする請求項１乃至３のいずれか１項に記載のストロボ撮影システム。
【請求項６】
前記決定手段は、前記複数のストロボ装置の現在の充電電圧と目標発光色温度に対応した目標電圧との差分が最も小さくなる色温度を目標発光色温度として決定することを特徴とする請求項１に記載のストロボ撮影システム。
【請求項７】
前記決定手段は、前記複数のストロボ装置の現在の充電電圧を目標電圧が下回らない発光色温度を目標発光色温度として決定することを特徴とする請求項１に記載のストロボ撮影システム。
【請求項８】
前記決定手段は、前記複数のストロボ装置の現在の充電電圧を目標電圧が上回らない発光色温度を目標発光色温度として決定することを特徴とする請求項１に記載のストロボ撮影システム。
【請求項９】
前記決定手段は、すべての前記複数のストロボ装置の、設定された発光量における発光色温度の制御可能範囲に共通して含まれる発光色温度がない場合、前記複数のストロボ装置のうち最大の発光量が設定されているストロボ装置の最大発光色温度を抽出し、該抽出した最大発光色温度に基づいて前記目標発光色温度を決定することを特徴とする請求項６乃至８のいずれか１項に記載のストロボ撮影システム。
【請求項１０】
キセノン管を発光源として用いる複数のストロボ装置と通信して、撮影時に同調して発光を行うように前記複数のストロボ装置を制御する発光制御装置であって、
各ストロボ装置から、発光量ごとの前記キセノン管の発光のための電気エネルギを蓄積するメインコンデンサの電圧と発光色温度との対応関係を表す発光色温度特性のデータを取得する取得手段と、
取得した各ストロボ装置の前記発光色温度特性に基づいて、すべての前記複数のストロボ装置の、設定された発光量における発光色温度の制御可能範囲に共通して含まれる発光色温度の中から、前記複数のストロボ装置に共通の目標発光色温度を決定する決定手段と、
各ストロボ装置に対して、当該各ストロボ装置に発光させる発光量及び前記決定手段で決定された目標発光色温度を通知する通知手段と、
を有することを特徴とする発光制御装置。
【請求項１１】
ストロボ発光源であるキセノン管と、前記キセノン管の発光のための電気エネルギを蓄積するメインコンデンサとを有し、発光制御装置と通信し、前記発光制御装置によって発光が制御されるストロボ装置であって、
可能な発光量ごとの前記メインコンデンサの電圧と発光色温度との対応関係を表す発光色温度特性のデータを記憶するメモリと、
前記発光制御装置からの要求に応答して前記メモリに記憶されている前記発光色温度特性のデータを送信する送信手段と、
前記発光制御装置から、前記ストロボ装置に発光させる発光量及び目標発光色温度を受信する受信手段と、
前記発光色温度特性に従い、前記メインコンデンサの電圧が前記受信手段で受信した前記発光量での前記目標発光色温度に対応する目標電圧になるように、前記メインコンデンサの充電電圧を制御する制御手段と、
前記受信手段で受信した前記発光量で前記キセノン管を発光させる発光手段と、
を有することを特徴とするストロボ装置。
【発明の詳細な説明】
【技術分野】
【０００１】
本発明は、複数のスレーブストロボ装置を含むストロボ撮影システムに関し、特に、各スレーブストロボ装置の発光を制御する技術に関する。
【背景技術】
【０００２】
キセノン管を放電することにより、被写体を照明して撮影する閃光発光撮影は、写真撮影において広く用いられている。このキセノン発光管は、通常は発光エネルギを蓄積するコンデンサ（メインコンデンサ）に３００〜５００Ｖ程度の電圧を充電し、蓄積された電荷を放電させることにより発光を行っている。この発光量の調整は、キセノン管に直列に接続されたＩＧＢＴ（絶縁ゲート型バイポーラトランジスタ）などの制御素子でキセノン管に流れる発光電流を遮断することにより行うのが一般的である（直列制御方式）。
【０００３】
キセノン管の発光色温度は、最大発光状態で５５００Ｋ程度になるようにキセノン管の前面に配置する光学フィルタで調整されている。しかしながらこの発光色温度は、電圧や発光量で変化することが知られており、電圧が高いほど発光色温度が高くなる傾向がある。厳密な撮影においては、このような色温度の変化を無視することはできないものである。この発光色温度は変動は、常に一定の電圧で撮影を行うことにより回避可能である。
【０００４】
しかし、電圧変動による発光色温度の変化を抑えたとしても、前述の発光電流を遮断することで発光量を制御する場合には、発光量が少なくなるほど発光色温度が高くなることが知られている。この発光量による色温度の変動を避けるために、写真スタジオ用の大型のストロボなどでは、複数のメインコンデンサを持ち、必要な光量に応じてメインコンデンサを接続／遮断する方法で発光量の設定を行うと共に、色温度の変化を回避している。
【０００５】
一方、電池で駆動する小型のストロボでは、使用する電池のもつエネルギの限界から、メインコンデンサを高速に充電をすることができない。しかも、電池を使うほど充電時間が延びてしまうので、一般的には、フル充電になるまで撮影を待つよりも、速写性を優先して、メインコンデンサに十分充電されていない（コンデンサ電圧が低い）状態から撮影可能としている。また、発光量の制御も、複数のコンデンサを接続／遮断する方法では行われず、多くの場合は、前述のＩＧＢＴなどの制御素子を用いた直列制御方法をとっている。従って、このような小型ストロボの場合は、厳密に発光色温度を管理して撮影を行うことはできない。
【０００６】
もっとも、昨今のデジタルカメラが一般化された状況においては、撮影されたデジタル画像に対して、カメラ内部もしくはパーソナルコンピュータなどで行うデジタル現像（画像処理）時に任意の色温度を設定することができる。つまり、ストロボの色温度が変わっても、撮影後の画像処理によってそれを補正することが可能になっている（例えば、特許文献１参照）。
【０００７】
一方、複数の発光ダイオードをストロボ発光源として用いる複数のストロボ装置を有するシステムにおいて、各発光ダイオードの発光色温度を調停して、撮影色温度を合わせて撮影するシステムも開示されている（例えば、特許文献２参照）。
【先行技術文献】
【特許文献】
【０００８】
【特許文献１】特開平０２−８５８３４号公報
【特許文献２】特開２００４−０６９８９４号公報
【発明の概要】
【発明が解決しようとする課題】
【０００９】
特許文献１に記載の方法では、１台のストロボに対しては、発光色温度の変動に対する色補正を行うことが可能である。しかし、複数のストロボがそれぞれ異なる発光色温度である場合、すなわち、異なるメインコンデンサ電圧であったり、異なる発光量である場合は、適切に色補正を行うことはできない。
【００１０】
また、特許文献２に記載の方法では、複数の発光ダイオードを発光源として用いるストロボ装置を前提とするものであり、一般的に使用されている、キセノン管を発光源として用いるストロボ装置に適用することはできない。
【００１１】
本発明は、キセノン管を発光源に用いる複数のストロボ装置を同調発光させて撮影を行う際に、各ストロボ装置の発光色温度を揃えて、色再現の正確な撮影を実現することを目的とする。
【課題を解決するための手段】
【００１２】
本発明に係るストロボ撮影システムは、発光制御装置と、前記発光制御装置と通信可能な、キセノン管を発光源として用いる複数のストロボ装置とを含むストロボ撮影システムであって、前記発光制御装置は、各ストロボ装置から、発光量ごとの前記キセノン管の発光のための電気エネルギを蓄積するメインコンデンサの電圧と発光色温度との対応関係を表す発光色温度特性のデータを取得する取得手段と、取得した各ストロボ装置の前記発光色温度特性に基づいて、すべての前記複数のストロボ装置の、設定された発光量における発光色温度の制御可能範囲に共通して含まれる発光色温度の中から、前記複数のストロボ装置に共通の目標発光色温度を決定する決定手段と、各ストロボ装置に対して、当該各ストロボ装置に発光させる発光量及び前記決定手段で決定された目標発光色温度を通知する通知手段とを有し、前記複数のストロボ装置はそれぞれ、自身の発光色温度特性のデータを記憶するメモリと、前記発光制御装置からの要求に応答して前記メモリに記憶された発光色温度特性のデータを送信するデータ送信手段と、前記メモリに記憶された発光色温度特性に従い、前記メインコンデンサの電圧が前記発光制御装置から通知された発光量での目標発光色温度に対応する目標電圧になるように、前記メインコンデンサの充電電圧を制御する制御手段と、前記通知された発光量で前記キセノン管を発光させる発光手段とを有することを特徴とする。
【発明の効果】
【００１３】
本発明によれば、キセノン管を発光源に用いる複数のストロボ装置を同調発光させて撮影を行う際に、各ストロボ装置の発光色温度を揃えた上で撮影を行うことができ、色再現の正確な撮影を実現することができる。
【図面の簡単な説明】
【００１４】
【図１】実施形態における無線ユニットを有するカメラの回路構成を示すブロック図。
【図２】実施形態におけるストロボ装置の構成を示す図。
【図３】第１の実施形態におけるストロボ装置の回路構成を示す図。
【図４】実施形態における多灯ストロボ撮影システムの構成例を示す図。
【図５】第１の実施形態における撮影時のストロボ撮影システムの動作を示すフローチャート。
【図６】第１の実施形態における撮影時のストロボ撮影システムの動作を示すフローチャート。
【図７】ストロボ装置の発光量、メインコンデンサ電圧、及び発光色温度の対応関係の一例を示す図。
【図８】実施形態におけるストロボ装置の発光量設定に関する画面の例を示す図。
【図９】実施形態における目標発光色温度の決定処理を説明する図。
【図１０】実施形態における目標発光色温度の決定処理を説明する図。
【図１１】実施形態における撮影時の測光・測距処理の動作を示すフローチャート。
【図１２】第１の実施形態における撮影時のストロボ撮影システムの動作を示すフローチャート。
【図１３】第２の実施形態におけるストロボ装置の回路構成を示す図。
【図１４】第２の実施形態における撮影時のストロボ撮影システムの動作を示すフローチャート。
【図１５】第２の実施形態における撮影時のストロボ撮影システムの動作を示すフローチャート。
【発明を実施するための形態】
【００１５】
以下、図面を参照して本発明の好適な実施形態について詳細に説明する。なお、本発明は以下の実施形態に限定されるものではなく、本発明の実施に有利な具体例を示すにすぎない。
【００１６】
（実施形態１）
図１は、本発明の実施形態の構成を示す図である。図１において、１００は撮像装置としてのカメラ本体、２００はレンズユニット、３００は無線ユニットである。カメラ本体１００において、１は主ミラーであり、ファインダー観察状態では撮影光路内に斜設され、撮影状態では撮影光路外に退避する。また、主ミラー１はハーフミラーとなっており、撮影光路内に斜設されているときは、後述する焦点検出光学系へ被写体からの光線の約半分を透過させる。２はピント板であり、レンズユニット２００を介して結像された被写体像が投影される。
【００１７】
３はサブミラーであり、主ミラー１とともに、ファインダー観察状態では撮影光路内に斜設され、撮影状態では撮影光路外に退避する。このサブミラー３は、斜設された主ミラー１を透過した光線を下方に折り曲げて、後述の焦点検出ユニットの方に導くものである。４はファインダー光路変更用のペンタプリズム、５はアイピースであり、撮影者はアイピース５に接眼してピント板２を観察することで、撮影画面を観察することができる。６は結像レンズ、７はファインダー観察画面内の被写体輝度を測定するための測光センサである。測光センサ７は内部に公知の対数圧縮回路を持っているので、その出力は対数圧縮されたものとなる。８は公知の位相差方式の焦点検出ユニットである。
【００１８】
９はフォーカルプレンシャッターであり、１４はＣＭＯＳ等の撮像素子である。１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びカメラＭＰＵ５０により制御される。２０は画像処理回路であり、Ａ／Ｄ変換器１６からのデータ又はメモリ制御回路２２からのデータに対して画素補間処理、色変換処理等を行う。メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１９】
Ａ／Ｄ変換器１６のデータは、画像処理回路２０、メモリ制御回路２２を介して、あるいは直接メモリ制御回路２２を介して、画像表示メモリ２４又はメモリ３０に書き込まれる。画像表示メモリ２４に書き込まれた表示用の画像データは、Ｄ／Ａ変換器２６を介してカメラ本体背面のＴＦＴ液晶などで構成された画像表示部２８により表示される。また、この画像表示部２８は、カメラ操作用の表示インタフェースも兼ねており、カメラの様々な動作状態を表示する。メモリ３０は撮影した静止画像や動画像を格納するためのメモリであり、所定枚数の静止画像や所定時間の動画像を格納するのに十分な記憶容量を備えている。また、メモリ３０はカメラＭＰＵ５０の作業領域としても使用することが可能である。
【００２０】
圧縮・伸長回路３２は、メモリ３０に格納された画像を読み込んで圧縮処理又は伸長処理を行い、処理を終えたデータをメモリ３０に書き込む。４０はフォーカルプレンシャッター９を制御するシャッター制御部、４１は主ミラー１をアップ、ダウンさせるためのモータと駆動回路からなるミラー制御部である。５０はカメラ本体１００全体を制御するカメラＭＰＵ、５２はカメラＭＰＵ５０の動作用の定数、変数、プログラム等を記憶するメモリである。５６は電気的に消去・記録可能な不揮発性メモリであり、例えばＥＥＰＲＯＭ等が用いられる。６０、６２、６４、６６、６８及び７０は、カメラＭＰＵ５０に対して各種の動作指示を入力するための操作手段であり、スイッチやダイアル等で構成される。
【００２１】
ここで、これらの操作手段の具体的な説明を行う。６０はモードダイアルで、各種撮影モード（マニュアル、絞り優先ＡＥ、シャッター優先ＡＥ、プログラムＡＥ）の各機能モードを切り替え設定することができる。６２は測光・測距開始スイッチＳＷ１で、不図示のシャッターボタンの操作一段目でＯＮとなり、ＡＦ（オートフォーカス）処理、ＡＥ（自動露出）処理等の動作開始を指示する。６４はレリーズ開始スイッチＳＷ２で、不図示のシャッターボタンの操作二段目でＯＮとなり、撮像素子１４から読み出した信号をＡ／Ｄ変換器１６、メモリ制御回路２２を介してメモリ３０に画像データを書き込む露光処理等の一連の処理の動作開始を指示する。６６はマルチ設定スイッチで、スイッチの役割をユーザが様々に設定できるスイッチであり、例えば、ストロボマニュアル露出の自動設定スイッチ等に設定することができる。７０は各種ボタンやタッチパネル等からなる操作部である。ここには、メニューボタン、セットボタン、マクロボタン、マルチ画面再生改ページボタン、単写/連写/セルフタイマー切り替えボタン、メニュー移動ボタン、再生画像移動ボタン、撮影画質選択ボタン、露出補正ボタン、日付/時間設定ボタン等が含まれる。
【００２２】
８０は電源制御部で、ＤＣ−ＤＣコンバータにより各種制御回路に必要な電圧を供給する。８２、８４はコネクタ、８６はアルカリ電池やリチウム電池等の一次電池やNiMH電池、Li電池等の二次電池、ＡＣアダプタ等からなる電源である。９０はメモリカードやハードディスク等の記録媒体とのインタフェース、９２はメモリカードやハードディスク等の記録媒体と接続を行うコネクタである。９８はコネクタ９２に記録媒体１２０が装着されているか否かを検知する記録媒体着脱検知部である。記録媒体１２０は、半導体メモリや磁気ディスク等から構成される記録部１２２、カメラ本体１００とのインタフェース１２４、カメラ本体１００と接続を行うコネクタ１２６を備えている。７２はＵＳＢ、ＩＥＥＥ１３９４等の規格に準拠する通信部である。７３は通信部７２によりカメラ本体１００を他の機器と接続するコネクタである。３９９はレンズユニット２００とカメラＭＰＵ５０との通信を行うための通信線、４９９は後述するストロボ装置４００とカメラＭＰＵ５０との通信を行うための通信線である。
【００２３】
レンズユニット２００は、レンズマウント２０９を介して、着脱可能にカメラ本体１００に装着される。電気的にはシリアル通信線と電源からなるコネクタ２１０でカメラ本体１００に接続される。レンズユニット２００において、２０１は被写体像を撮像素子１４に結像し、フォーカス調整を行うためのフォーカシングレンズである。２０２はフォーカシングレンズ２０１を光軸方向に駆動して、ピントを合わせるためのフォーカス駆動アクチュエータである。２１１はレンズ制御ＭＰＵ（Micro Processing Unit）２０６からの指令に基づき、フォーカス駆動アクチュエータ２０２を制御するフォーカス制御回路である。２０３はフォーカシングレンズ２０１の位置から被写体距離を検出するためのエンコーダを有する距離検出部、２０４は撮影時の光量を調整するための絞り、２５０は絞り駆動アクチュエータである。２０５はレンズ制御ＭＰＵ２０６からの指令に基づき、絞り駆動アクチュエータ２５０を制御する絞り制御回路である。
【００２４】
２０７は変倍のための焦点距離調整を行うためのズーミングレンズである。２０８はズーミングレンズ２０７を光軸方向に駆動して、電気的に焦点距離調節を行うためのズーム駆動アクチュエータ、２１２はズーム駆動アクチュエータ２０８を制御するズーム制御回路である。レンズ制御ＭＰＵ２０６は、前述のフォーカス駆動や絞り駆動などを制御するとともに、カメラ本体側のカメラＭＰＵ５０との通信を制御する。
【００２５】
無線ユニット３００は、本実施形態においてはカメラ本体１００に着脱可能に装着される。無線ユニット３００において、３０１は動作制御用の無線ユニットＭＰＵである。３０２は無線通信ユニットで、例えば２．４ＧＨＺ帯（ＩＭＳバンド）の送受信処理を行うZegbee(商標)またはBlueTooth（商標）などの無線プロトコルを処理する公知の無線チップで構成されている。３０３はアンテナである。なお、本実施形態では、無線ユニット３００はカメラ本体１００と着脱可能としているが、カメラ本体１００に内蔵されても良い。
【００２６】
次に、図２を用いて本実施形態におけるストロボ装置４００の構成を説明する。ストロボ装置４００は、カメラ本体１００に着脱可能に構成され、カメラ本体１００に装着された場合、カメラ本体１００からの信号に従って発光制御を行う。本実施形態におけるストロボ装置４００は、キセノン管をストロボ発光源として用いる。４５１がキセノン管であり、電流エネルギを発光エネルギに変換する。４５２及び４５３はそれぞれフレネルレンズ及び反射笠であり、それぞれ発光エネルギを効率良く被写体に向けて集光する役目を持つ。４４７はグラスファイバーなどの導光手段であり、キセノン管４５１の発光量をモニタするために、キセノン管４５１から発光した光の一部をフォトダイオード等の第１の受光素子４４８に導く。これにより、キセノン管４５１の予備発光及び本発光の光量をモニタすることができる。
【００２７】
４４５はキセノン管４５１が発光した光をモニタするためのフォトダイオード等の第２の受光素子である。この第２の受光素子４４５の出力により、キセノン管４５１の発光電流を制限してフラット発光の制御を行う。４５４ａ，４５４ｂは、反射笠４５３と一体となったライトガイドであり、それぞれ第２の受光素子４４５及び導光手段４４７にキセノン管４５１からの光の一部を反射して導く。４９０はカメラ本体１００とストロボ装置４００との通信インタフェースとなるストロボ接点群である。
【００２８】
次に、図３を用いて、ストロボ装置４００の回路構成を説明する。ストロボ装置４００は、上述したとおり、カメラ本体１００にストロボ接点群４９０を介して電気的に接続することが可能である。４０１は電源電池である。４０２は充電回路を構成するＤＣ−ＤＣコンバータであり、電池電圧を数１００Ｖに昇圧する。４０３はキセノン管４５１の発光のための電気エネルギを蓄積するメインコンデンサである。４０４，４０５は抵抗であり、メインコンデンサ４０３の電圧を所定比に分圧する。４０６は発光電流を制限するためのコイル、４０７は発光停止時に発生する逆起電圧を吸収するためのダイオードである。４１１はトリガ発生回路、４１２はＩＧＢＴなどの発光制御回路である。
【００２９】
４３０はデータセレクタであり、Ｙ０，Ｙ１の２入力の組み合わせにより、Ｄ０，Ｄ１，Ｄ２を選択してＹに出力する。４３１はフラット発光の発光レベル制御用のコンパレータ、４３２は閃光発光時の発光量制御用のコンパレータである。４３４は第２の受光素子４４５に流れる微少電流を増幅すると共に光電流を電圧に変換する測光回路である。４４６は第１の受光素子４４８に流れる光電流を対数圧縮するとともにキセノン管４５１の発光量を圧縮積分するための積分測光回路である。
【００３０】
４４１はストロボの動作モード（ノーマル、ワイヤレスマスター、ワイヤレススレーブ）を設定するスイッチ、４４２は電源スイッチである。４４６は、ストロボの発光照射角を変更するためのモータ、４４５は同モータを制御するためのモータ制御回路である。４６１から４６９はストロボの各種動作を設定するためのスイッチである。具体的には、４６１は表示ユニット４６０を背面から照明する不図示の照明の動作を設定するスイッチである。４６２はストロボの発光モード（オート、マニュアル、マルチ発光など）を設定するためのスイッチである。４６３は設定すべき各種モードを選択／決定するＳＥＬスイッチである。４６４は設定すべき各種値、例えば発光量等を増加させるためのスイッチ、４６５は同減少させるためのスイッチである。４６６は、ストロボの発光照射角を設定するためのスイッチである。４６７，４６８，４６９は、発光照射角を読み出すためのスイッチである。４５６は無線通信ユニットであり、これにより無線ユニット３００と通信可能になっている。４５７はアンテナである。４７０はストロボ装置４００全体の動作を制御するストロボＭＰＵである。また、４８０はメモリであり、可能な発光量ごとのメインコンデンサ電圧と発光色温度との対応関係を表す発光色温度特性のデータを記憶している。
【００３１】
図４は、本実施形態における多灯ストロボ撮影システムの構成例を示す図である。同図において、図１乃至図３に示した部材と同じ部材には同じ記号を付与している。図示の如く、本システムは、無線ユニット３００を装着したカメラ本体１００を発光制御装置とし、ストロボ装置４００をスレーブストロボ装置とするもので、任意の数のストロボ装置４００を使用することができる。また、図示はしないが、上述したように、１台のストロボ装置４００をストロボ接点群４９０を介してカメラ本体１００に電気的に接続することも可能である。ストロボ接点群４９０を介してカメラ本体１００に電気的に接続されたストロボ装置４００がある場合、そのストロボ装置４００はマスターストロボ装置として機能し、他のスレーブストロボ装置とともに同調発光を行うことができることは言うまでもない。以下ではスレーブストロボ装置についてのみ説明することにする。発光制御装置であるカメラ本体１００による制御の下、撮影時に複数のスレーブストロボ装置が同調して発光を行う。図４において、スレーブストロボ装置である複数のストロボ装置４００は、例えばＡからＣのグループに設定されている。個々のスレーブストロボ装置には、ユニークなＩＤが設定されている。
【００３２】
以下、本実施形態におけるストロボ撮影システムの動作フローを説明する。図５及び図６のフローチャートを用いて、カメラＭＰＵ５０、無線ユニットＭＰＵ３０１、ストロボＭＰＵ４７０によって実行される動作を説明する。
【００３３】
カメラ本体１００の電源が投入されると、カメラＭＰＵ５０はフラグや制御変数等を初期化する（Ｓ１０１）。次に、モードダイアル６０の設定位置を判断し（Ｓ１０２）、モードダイアル６０が電源ＯＦＦに設定されていたならば、各表示部の表示を終了状態に変更し、フラグや制御変数等を含む必要なパラメータや設定値、設定モードを不揮発性メモリ５６に記録する。そして、電源制御部８０により画像表示部２８を含むカメラ本体１００各部の不要な電源を遮断する等の所定の終了処理を行った後（Ｓ１０３）、処理はＳ１０２に戻る。Ｓ１０２でモードダイアル６０が撮影モードに設定されていたならば、処理はＳ１０４に進む。
【００３４】
Ｓ１０４では、電源制御部８０により電源８６の残容量やカメラ本体１００の動作に問題があるか否かを判断し（Ｓ１０４）、問題があるならば画像表示部２８に所定の警告表示を行うか、音声による報知を行い（Ｓ１０６）、処理はＳ１０２に戻る。電源８６等に問題がなければ、カメラＭＰＵ５０は記録媒体１２０の空き容量などを判断し（Ｓ１０５）、問題があるならば画像表示部２８に警告表示を行い（Ｓ１０６）、処理はＳ１０２に戻る。記録媒体１２０の動作状態に問題がなければ、画像表示部２８にカメラ本体１００の各種設定状態の表示を行う（Ｓ１０７）。
【００３５】
続いて、カメラＭＰＵ５０は無線ユニットＭＰＵ３０１との通信が成立するか確認する（Ｓ１０８）。ここで無線ユニットＭＰＵ３０１との通信が成立せず無線ユニット３００が装着されていないと判断されれば、処理はＳ１３０に移行する。無線ユニット３００が装着されていると判断されれば、無線ユニットＭＰＵ３０１に対してスレーブストロボの検索を指示する。無線ユニットＭＰＵ３０１はこれに応じて、無線通信ユニット３０２を介して、スレーブ探索コマンドを同報送信する（Ｓ１１０）。
【００３６】
無線ユニット３００と同じチャネルに設定された、スレーブストロボ装置の無線通信ユニット４５６は、このスレーブ探索コマンドを受信すると、これをストロボＭＰＵ４７０に伝送する。ストロボＭＰＵ４７０は、このスレーブ探索コマンドを解析し、事前に登録された同じＩＤグループからの呼び出しであれば、自身のＩＤを含むスレーブ応答信号を、無線通信ユニット４５６を介して無線ユニット３００に向けて返信する（Ｓ１１１）。
【００３７】
なお複数の無線通信ユニットがあった場合でも、個別ＩＤに対応した通信応答タイミングのルールを規定しているので、通常は混信は発生しない。ただし、万一混信が発生し無線ユニット３００がスレーブストロボ装置を認識できない場合は、無線ユニット３００は所定回数再送命令を出して通信の確立を待つ。所定回数再送命令を出しても通信が確立しない場合には、無線動作を禁止してＳ１０２に戻る（Ｓ１１２、Ｓ１１３、Ｓ１１４）。一方、スレーブ応答信号を正しく認識できた場合は、スレーブ応答信号を送信してきたスレーブストロボ装置の数と設定されているグループなどのスレーブの基本情報を認識する（Ｓ１１５）。
【００３８】
次に、無線ユニット３００は、スレーブストロボ装置に対して色温度情報要求を送信する（Ｓ１２０）。各スレーブストロボ装置は、この要求に応答してデータ送信を行う。具体的には、図７に示されるような、発光量ごとのメインコンデンサ電圧と発光色温度との対応関係を表す発光色温度特性のデータを、メモリ４８０から読み出して送信する（Ｓ１２１）。同図は、横軸をメインコンデンサ４０３の電圧［Ｖ］、縦軸を発光色温度［Ｋ］とし、発光量ごとの各電圧に対する発光色温度をグラフ化したものである。例えば、１／１発光でメインコンデンサ電圧が３３０Ｖの時は発光色温度は５５５０Ｋであることを示している。各スレーブストロボ装置は、こうした色温度情報を無線ユニット３００に送信する。
【００３９】
各スレーブストロボ装置の発光量は、カメラ背面の画像表示部２８に表示され、ユーザは、操作部７０を介して、それぞれの発光量を設定可能である。図８に、カメラ背面の画像表示部２８の表示例を示す。２８００は、スレーブストロボ装置の通信強度を示す通信強度表示であり、２８０１はストロボの発光モードを示すストロボモード表示である。２８０２は通信チャネル表示であり、２８０３はスレーブストロボ装置の充電状態を示すマークであり、Ａ，Ｂ，Ｃそれぞれのものを表示してもよいが、本例ではＡ，Ｂ，Ｃ３グループの充電状態のアンド表示としている。２８０４、２８０５、２８０６は、例えば図４に示したようにＡ、Ｂ、Ｃ３グループのスレーブストロボ装置がある場合の各スレーブストロボ装置の設定された発光量を示す発光量表示である。本例では、Ａは１／１発光、Ｂは１／２発光、Ｃは１／４発光に設定されていることを示しており、以下の説明もこの例に従う。
【００４０】
次に、無線ユニット３００を介して色温度情報を各スレーブストロボ装置から受信したカメラＭＰＵ５０は、各スレーブストロボ装置に共通の目標発光色温度を決定する（Ｓ１２２）。図９を用いて、目標発光色温度の決定方法の詳細を説明する。図９では図７と同様に、横軸をメインコンデンサ電圧、縦軸を色温度としている。Ａ，Ｂ，Ｃの発光色温度特性は、ステップＳ１２１で各スレーブストロボ装置から取得した色温度データに基づき、図８のように設定された発光量についての各スレーブストロボ装置の発光色温度特性である。Ａの曲線は、グループＡストロボに設定された１／１発光時のメインコンデンサ電圧に対する色温度カーブである。Ｂの曲線は、グループＢストロボに設定された１／２発光時のメインコンデンサ電圧に対する色温度カーブである。Ｃの曲線は、グループＣストロボに設定された１／４発光時のメインコンデンサ電圧に対する色温度カーブである。
【００４１】
図９からわかるように、Ａ，Ｂ，Ｃの各スレーブストロボ装置の発光色温度の制御可能範囲は５２５０［Ｋ］〜５５５０［Ｋ］の間で重複している。そのため、目標発光色温度は５２５０［Ｋ］〜５５５０［Ｋ］の間で設定可能であるが、本実施形態では、発光量の大きいストロボが作画上重要であることを考慮して目標色温度を決定する。
【００４２】
ここで、複数のスレーブストロボ装置のうち最大の発光量が設定されているスレーブストロボ装置の最大発光色温度を抽出する。図９の例において、設定発光量が最大のストロボはＡのストロボであるから、このＡのストロボの最大発光色温度を目標発光色温度に決定する。すなわち、図９においては、発光量が相違するＡ，Ｂ，Ｃの各ストロボに対して、例えばＬ１で示す目標発光色温度（５５５０［Ｋ］）を決定することができる。この目標発光色温度を実現するために、Ａのストロボは１／１発光でメインコンデンサ電圧は３３０Ｖ、Ｂのストロボは１／２発光でメインコンデンサ電圧は３１０Ｖ、Ｃのストロボは１／４発光でメインコンデンサ電圧は２９０Ｖに設定することになる。こうして、各スレーブストロボ装置の発光色温度を目標発光色温度５５５０［Ｋ］に揃えることができる。
【００４３】
一方、Ａ，Ｂ，Ｃの各スレーブストロボ装置に設定された発光量が大きく異なる場合には、すべてのスレーブストロボ装置の発光色温度を同一にすることができない場合もある。例えば、設定発光量が最大のストロボの発光色温度が、その他のストロボに設定されている発光量での発光色温度の制御可能範囲内にない場合である。この場合の処理を図１０を用いて説明する。図１０では、図９と同様にＡ、Ｂ、Ｃ３台のストロボの設定発光量の対する電圧と色温度の対応を示しており、Ａストロボの発光量が１／１、Ｂストロボの発光量が１／２、Ｃストロボの発光量が１／６４に設定されている場合を示している。同図から分かるように、ＡとＢのストロボは発光色温度の制御可能範囲が重複しているため両者で実現可能な目標発光色温度を設定することはできる。しかし、Ｃのストロボは発光色温度の制御可能範囲が他と重複しておらず、３者共通で実現可能な目標発光色温度を設定することができない。
【００４４】
そのような場合は、発光量の大きいストロボが作画上重要であることを考慮して、発光量の大きいストロボの最大発光色温度を目標発光色温度に決定する。そして、決定した目標発光色温度が制御可能範囲内ではないストロボは、後述するようにカメラ側から通知された目標発光色温度を制御可能な最小発光色温度に補正する。具体的には、このようにすることで、すべてのストロボが同一の発光色温度で発光できない場合であっても、発光色温度差が生じることによる影響を抑えることができる。
【００４５】
次に、各スレーブストロボ装置に対して設定された発光モード及び発光量及び、このＳ１２２で求めた目標発光色温度を通知するべく、これらの情報を含む発光情報を各スレーブストロボ装置に送信する（Ｓ１２３）。なお、発光情報には、目標発光色温度に対応する各ストロボのメインコンデンサ電圧を含めてもよい。
【００４６】
スレーブストロボ装置は、カメラ側から受信したこれらの情報を自身に設定し、メインコンデンサ４０３の充電電圧を制御する（Ｓ１２４）。具体的には、メモリ４８０に記憶されている発光色温度特性に従い、メインコンデンサ電圧がカメラ側から通知された発光量での目標発光色温度に対応する電圧になるように充電回路４０２の発振制御を行う。本実施形態では、現在のメインコンデンサ電圧が、受信した発光情報により指定された発光量での目標発光色温度に対応する目標電圧よりも低い場合、その目標電圧になるまで発振制御を行う。そして、目標電圧に到達したところで充電回路４０２の発振制御を停止する。逆に、現在のメインコンデンサ電圧が、受信した発光情報により指定された発光量での目標発光色温度に対応する目標電圧を超えている場合は、後述するように、発光直前にダミー発光を行うことでメインコンデンサ電圧を目標電圧に近づくように低下させる。
【００４７】
次に、スレーブストロボ装置は、充電状態等を含むスレーブ情報をカメラ側に返送する（Ｓ１２５）。カメラＭＰＵ５０は、各スレーブストロボ装置から受信したスレーブ情報が、全てのスレーブストロボのメインコンデンサが充電完了状態で、かつその充電電圧が、指定した目標発光色温度、発光量に対応する目標電圧以上であることを示すかを判断する。この条件を満たすと判断した場合、画像表示部２８の充電完了マーク２８０３を点灯し、ストロボ撮影準備が整ったことをユーザに報知する（Ｓ１２６）。
【００４８】
次に、測光・測距開始スイッチＳＷ１がオフであればＳ１０２に戻り、オンであれば、Ｓ１３１に進む（Ｓ１３０）。Ｓ１３１では、測光センサ７で被写体輝度を測定し、また焦点検出部６で被写体の合焦状態を検出し、レンズ制御ＭＰＵ２０６に指令してフォーカシングレンズ２０１を駆動し、被写体に対してフォーカスを合わせる（Ｓ１３１）。次に、レリーズ開始スイッチＳＷ２がオフであればＳ１０２に戻り、オンであれば、Ｓ１３３に進む（Ｓ１３２）。Ｓ１３３では、発光条件が揃ったかどうかを判断する。具体的には、全てのスレーブストロボ装置のメインコンデンサが充電完了状態で、かつその充電電圧が、指定した目標発光色温度、発光量に対応する電圧以上である場合、発光条件が揃ったと判断する。発光条件が揃ったとき、Ｓ１３４へ進み、撮影を行う。撮影が終了すると、ステップＳ１２２で求めた目標発光色温度に基づいてカラーバランスを整え、画像を生成し、記録媒体１２０にその画像を保存する。
【００４９】
次に、図１１を参照して、前述したステップＳ1３１の測光・測距処理の詳細を説明する。測光センサ７を用いて被写体輝度の測光を行い（Ｓ２０１）、公知の方法で本撮影露光量の演算を行う（Ｓ２０２）。一方、焦点検出ユニット８内のＡＦセンサの蓄積を行い（Ｓ２０３）、蓄積された被写体像を読み出す（Ｓ２０４）。そして、公知の方法でディフォーカス量演算を行い（Ｓ２０５）、合焦状態とのディフォーカス量を判断して（Ｓ２０６）、所望の範囲外であれば、レンズユニット２００に対して、通信線３９９を介してフォーカシングレンズ２０１の駆動命令を出す。
【００５０】
レンズユニット２００は、フォーカシングレンズの駆動指令を受けると、フォーカス制御回路２１１を介して、フォーカス駆動アクチュエータ２０２を所定量駆動し（Ｓ２０７）、ステップＳ２０３に戻りＡＦ蓄積を繰り返す。一方、Ｓ２０６の判定結果が所望の範囲内の場合はＡＦ処理を終了する。
【００５１】
次に、図１２を参照して、前述のカメラＭＰＵ５０による撮影処理（Ｓ１３４）及びストロボＭＰＵ４７０による発光制御（Ｓ１３５）の詳細を説明する。まず、カメラＭＰＵ５０は、フラッシュ撮影モードの判定を行う（Ｓ３０１）。フラッシュ撮影モードである場合は、スレーブストロボ装置に対して前述したステップＳ１２４で設定した目標発光色温度を実現するための電圧調整コマンドを発行する（Ｓ３０２）。スレーブストロボ装置は、メインコンデンサ４０３の電圧が電圧調整コマンドによって指示された目標発光色温度を得るための目標電圧より高い値になっていないか判定する（Ｓ３０３）。目標電圧より高い値になっていない場合は、処理はＳ３１１に進む。一方、メインコンデンサ４０３の電圧が目標電圧を超えている場合は、ストロボＭＰＵ４７０内のメインコンデンサ電圧検出端子ＡＤ１端子をモニタしながら発光制御回路４１２をオンしてダミー発光を行う（Ｓ３０４）。このダミー発光により目標電圧になったら発光制御回路４１２をオフして発光を停止し、電圧調整終了信号をカメラ側に伝送する（Ｓ３０５）。
【００５２】
カメラＭＰＵ５０は、無線ユニット３００を介して、スレーブストロボ装置からの電圧調整終了信号を受信すると、撮影準備のために主ミラー１をアップして撮影光軸上から退避させる（Ｓ３０６）。続いてステップＳ１３１で演算した絞り値にレンズユニット２００の絞り２０４を駆動し（Ｓ３０７）、撮像素子１４の蓄積を開始するとともにシャッター９を開き露光を開始する（Ｓ３０８）。フラッシュ撮影モードの場合は（Ｓ３０９、ＹＥＳ）、このタイミングでコマンド送信を実行する。すなわち、シャッター９の全開とタイミングを合わせて、各スレーブストロボ装置に対して同調発光させるための発光コマンドを送信する（Ｓ３１０）。スレーブストロボ装置は、この発光コマンドに応答してストロボの本発光を行う（Ｓ３１１）。
【００５３】
所定のシャッター秒時が終了すると、シャッター９を閉じ（Ｓ３１２）、撮像素子１４からＡ／Ｄ変換器１６を介して撮影画像を読み出し、メモリ３０に保存する（Ｓ３１３）。さらに、圧縮・伸長回路３２でメモリ３０に格納された画像を読み込んで圧縮処理或いは伸長処理を行う（Ｓ３１４）。その際に、ステップＳ１２２で求めた目標発光色温度に基づいて色の調整を行い、処理を終えたデータをインタフェース９０を介して記録媒体１２０に書き込み（Ｓ３１５）、撮影処理を終了する。
【００５４】
このようにして、複数のスレーブストロボ装置にそれぞれ設定された発光量に応じて、各スレーブストロボ装置のメインコンデンサ電圧を調停し、発光制御を行うことができる。これにより、複数のスレーブストロボ装置の発光色温度を揃えてストロボ撮影を行うことが可能になる。また、この調停された発光色に対応して、撮影した画像の色調整を行うことができるので、正しいカラーバランスの画像を撮影することができる。
【００５５】
なお、図９のようにすべてのストロボ装置の設定された発光量における発光色温度の制御可能範囲に共通して含まれる発光色温度が複数ある場合には、目標発光色温度として設定可能な色温度範囲を示す情報を画像表示部２８に表示するようにしてもよい。そして、上述したステップＳ１２２の代わりに、操作手段によりユーザが任意の発光色温度を目標発光色温度として設定するようにしてもよい。
【００５６】
また、各ストロボの現在の充電電圧をステップＳ１２２の前、例えばステップＳ１２１で取得しておき、各ストロボの現在の充電電圧に基づいて以下のように目標発光色温度を決定してもよい。
ステップＳ１２２において、各ストロボの現在の充電電圧に基づき、後述するダミー発光を行う必要がない発光色温度、すなわち、各ストロボの現在の充電電圧を目標電圧が下回らない発光色温度を目標発光色温度として設定してもよい。このようにダミー発光を行う必要がない目標発光色温度を設定することで、撮影開始からストロボ発光までのタイムラグを抑えることができる。あるいは、各ストロボの現在の充電電圧に基づき、後述する発振制御を行う必要がない発光色温度、すなわち、各ストロボの現在の充電電圧を目標電圧が上回らない発光色温度を目標発光色温度として設定してもよい。このように、発振制御を行う必要がない目標発光色温度を設定することで、各ストロボの電源電池４０１の消耗を抑えることができる。あるいは、各ストロボの現在の充電電圧と目標発光色温度に対応した目標電圧との差分が最も小さくなる色温度を目標発光色温度として設定してもよい。このように、現在の充電電圧と目標電圧との差分が最も小さくなる目標発光色温度を設定する。これにより、ダミー発光による無駄な発光を抑えることができ、必要以上に発振制御を行わないようにできるため、各ストロボの電源電池４０１の消耗を抑えることができる。なお、上記のようにして目標発光色温度を決定する場合、すべてのストロボ装置の設定された発光量における発光色温度の制御可能範囲に共通して含まれる発光色温度がなければ、発光量の大きいストロボの最大発光色温度を目標発光色温度に決定すればよい。
【００５７】
（実施形態２）
上述の実施形態１においては、所望の発光電圧でキセノン管の発光を行うにあたり、メインコンデンサ電圧が目標電圧を超えている場合は、発光直前にダミー発光を行うことでメインコンデンサの電圧を調停していた。しかしながら、発光直前にダミー発光を行うため、僅かながら、撮影開始からストロボ発光までの遅れが生じる場合がある。
【００５８】
そこで第２の実施形態では、所望の電圧よりメインコンデンサ電圧が高い場合は、メインコンデンサの電圧を調停するためにダミー発光を行うのではなく、メインコンデンサ電圧を調停するための電圧低下手段を追加する。
【００５９】
以下、図１３を参照して、第２の実施形態におけるストロボ装置４００の回路構成を説明する。なお、図３と同じ部材については、同じ参照符号を付してその説明を省略する。図１３において、４２０、４２２、４２３は抵抗で、４２１はトランジスタであり、これらによって、メインコンデンサを放電させるための放電回路を構成する。トランジスタ４２１のベースはストロボＭＰＵ４７０のＤＩＳＣＨＧ端子に抵抗４２２を介して接続されている。従って、メインコンデンサ４０３の電圧が所望の色温度が得られる電圧より低い場合は、充電回路４０２の発振制御を行い、メインコンデンサ４０３の電圧を抵抗４０４、４０５で分圧する。これをストロボＭＰＵ４７０のＡ／Ｄ入力端子ＡＤ１でモニタして、目標電圧になった時点で充電回路４０２に動作を停止する。
【００６０】
一方、目標電圧よりも高い場合は、充電回路４０２を停止しても、メインコンデンサ電圧は下がらない。そこで、ストロボＭＰＵ４７０のＤＩＳＣＨＧ端子をハイレベルに設定して、放電回路を駆動すべくトランジスタ４２１をオンする。すると、メインコンデンサ４０３の電荷は、抵抗４２０および、トランジスタ４２１を介して放電され、これによりメインコンデンサ電圧は低下する。この際、同様にしてメインコンデンサ４０３の電圧をもモニタし、所望の低下したところでトランジスタ４２１をオフすれば、所望のメインコンデンサ電圧を得ることができる。
【００６１】
次に、図１４を参照して、本実施形態における動作フローを説明する。図５における動作フローは本実施形態においても同じなので図５をそのまま援用する。図１４のフローチャートは、図６のフローチャートに対応するもので、図６と同じ処理ステップには同じ参照符号を付しその説明を省略する。
【００６２】
図１４のフローにおいて図６と異なるところは、スレーブストロボ装置側で実行されるステップＳ１２４とＳ１２５の間に、破線で囲んだＳ１４１及びＳ１４２の処理が挿入されていることである。Ｓ１４１では、メインコンデンサ４０３の電圧がＳ１２４で設定された目標電圧より高い値になっていないか判定する。高い値になっていない場合は、処理はそのままＳ１２５に進む。一方、メインコンデンサ４０３の電圧がＳ１２４で設定された目標電圧を超えている場合は、Ｓ１４２に進む。Ｓ１４２では、前述のようにストロボＭＰＵ４７０のＤＩＳＣＨＧ端子をハイレベルに設定し、放電回路を駆動すべくトランジスタ４２１をオンする。そして、メインコンデンサ４０３の電圧をストロボＭＰＵ４７０のＡＤ１端子でモニタし、目標電圧になったら、ＤＩＳＣＨＧ端子をローレベルに設定し、トランジスタ４２１をオフすることで、メインコンデンサ電圧を目標電圧に設定する。
【００６３】
図１５は、本実施形態におけるカメラＭＰＵ５０による撮影処理（Ｓ１３４）及びストロボＭＰＵ４７０による発光制御（Ｓ１３５）のフローチャートである。図１５のフローチャートは、図１２のフローチャートに対応するもので、図１２と同じ処理ステップには同じ参照符号を付している。本実施形態では、前述の図１４のＳ１４２において電圧低下処理を実行済みであるから、実施形態１のようなダミー発光処理は不要となる。したがって、図１５では、図１２におけるＳ３０１〜Ｓ３０５の処理がなくなっている。
【００６４】
このようにして、本実施形態においても複数のスレーブストロボ装置にそれぞれ設定された発光量に応じて、各スレーブストロボ装置のメインコンデンサ電圧を調停し、発光制御を行うことができる。これにより、複数のスレーブストロボ装置の発光色温度を揃えてストロボ撮影を行うことが可能になる。
【００６５】
このように、トランジスタ４２１及び抵抗４２０で構成される電圧低下手段を設けることにより、第１の実施形態のようにダミー発光によってメインコンデンサ電圧を調停する必要がなくなるので、撮影開始からストロボ発光までの遅れをなくすことができる。
【００６６】
以上、本発明の実施形態を説明したが、本発明はこれらの実施形態に限定されるものではなく、本発明の主旨の範囲内においてさまざまな改変が可能である。例えば、第１、第２の実施形態においては、カメラとスレーブストロボとの間のデータ通信は電波にて行っているが、光で行ってもよいし、あるいは、ケーブルを用いた有線データ通信を行ってもよい。
【００６７】
なお、上述の第１、第２の実施形態では、カメラ本体１００が複数のスレーブストロボ装置の発光制御を行う発光制御装置として機能するストロボ撮影システムを説明したが、発光制御装置として機能するのはカメラ本体１００だけに限らない。例えば、カメラ本体１００に装着された無線ユニット３００が発光制御装置として機能し、カメラ本体１００のカメラＭＰＵ５０を介さずに目標発光色温度の設定を行い、設定した目標発光色温度となるようにスレーブストロボ装置の発光制御を行ってもよい。同様に、無線ユニット３００ではなくカメラ本体１００に装着されたストロボ装置（マスターストロボ）を発光制御装置として機能させてもよい。
【００６８】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
2011221363.tif 000003
【図２】
2011221363.tif 000004
【図３】
2011221363.tif 000005
【図４】
2011221363.tif 000006
【図５】
2011221363.tif 000007
【図６】
2011221363.tif 000008
【図７】
2011221363.tif 000009
【図８】
2011221363.tif 000010
【図９】
2011221363.tif 000011
【図１０】
2011221363.tif 000012
【図１１】
2011221363.tif 000013
【図１２】
2011221363.tif 000014
【図１３】
2011221363.tif 000015
【図１４】
2011221363.tif 000016
【図１５】
2011221363.tif 000017